(57)【要約】【課題】従来とは異なる構造で、重厚で骨太な印象を与えることができる構造を備える簡易建物を提供する。【解決手段】立設された複数の支柱２、２、…と、支柱を渡して設けられる梁１０、１０と、外枠３１、及び該外枠で区画される内側に配置される屋根パネル５９、５９、…を有する屋根部材３０と、梁と屋根部材とを連結して該屋根部材を梁に保持する連結部材６０、６０、…と、を備え、連結部材は、その一端側が梁に固定され、他端側は屋根部材の枠体のうち、梁に対向して設けられる枠材３４、３４に固定されており、梁と屋根部材との間には間隙Ａ、Ａ、…が形成される、簡易建物１とする。【選択図】図１
2010281053.tif 000002
【特許請求の範囲】
【請求項１】
立設された複数の支柱と、
前記支柱を渡して設けられる梁と、
外枠、及び該外枠で区画される内側に配置される屋根パネルを有する屋根部材と、
前記梁と前記屋根部材とを連結して該屋根部材を前記梁に保持する連結部材と、を備え、
前記連結部材は、その一端側が前記梁に固定され、他端側は前記屋根部材の前記枠体のうち、前記梁に対向して設けられる枠材に固定されており、
前記梁と前記屋根部材との間には間隙が形成される、簡易建物。
【請求項２】
前記梁、及び／又は前記連結部材には、該連結部材に負荷される回転力のうち、前記支柱の長手方向を含む回転力を受ける回転力受け手段が設けられている請求項１に記載の簡易建物。
【請求項３】
前記連結部材は前記梁側端部に取付板を有し、
前記回転力受け手段は前記梁に設けられ、前記取付板の前記屋根部材側に対向する面に接触可能に具備される片であることを特徴とする請求項２に記載の簡易建物。
【請求項４】
前記梁はカバー部材を具備し、前記連結部材と前記梁との固定部が前記カバー部材により外観視から隠蔽されていることを特徴とする請求項１〜３のいずれか一項に記載の簡易建物。
【請求項５】
前記梁に対向して設けられる枠材には、前記連結部材を引っ掛けて保持可能とする係合片が設けられており、前記枠材を前記連結部材に仮保持できることを特徴とする請求項１〜４のいずれか一項に記載の簡易建物。
【発明の詳細な説明】
【技術分野】
【０００１】
本発明は、カーポート、テラス、及びバルコニー等の屋根部を形成でき、屋外に設置される屋根部材を備える簡易建物に関する。
【背景技術】
【０００２】
カーポート、テラス、及びバルコニーの屋根等、いわゆるエクステリアとして用いられる簡易建物は、立設された柱と、該柱の上端から持ち出すように設けられる梁と、該梁上に取り付けられる屋根部とを備えている。これにより上部は屋根により覆われ、雨水が降り注ぐことや、直射日光の照射を避けることができるとともに、前後左右方向には開放された空間を形成することができる。
【０００３】
このような簡易建物により、この空間を基本的には室外として利用する一方、雨水や直射日光を避けることができるので、室内空間の延長として多目的に利用でき、簡易で利便性の高い空間を形成することが可能となる。
【０００４】
一方、このような簡易建物は、屋外に備え付けられるので、その形態が外観に大きな影響を与える。従って、簡易建物としての機能だけでなく、デザインや美感も重要な要素の１つである。
【０００５】
従来のカーポートの構造としては例えば、特許文献１に記載のものが開示されている。これによれば、上記したように、立設された柱と、該柱の上端から持ち出すように設けられる梁と、該梁上に取り付けられる屋根部を有している。
【先行技術文献】
【特許文献】
【０００６】
【特許文献１】特開２００５−２４０３７２号公報
【発明の開示】
【発明が解決しようとする課題】
【０００７】
上記したような従来の簡易建物は、それぞれの簡易建物の構造によりその機能を有していると共に、特許文献１の課題にも記載されているように「意匠性」も重要な要素とされている。
【０００８】
しかしながら、このような従来の簡易建物では、屋根部材のみが強調されるとともに、簡易建物全体としても軽量的な印象を与える傾向にあった。しかしながら、近年における建物に対する需要の多様化により、これまでとは異なる重厚な印象を与えることができ、従来とは異なる構造を有する簡易建物の要望がある。例えば大きく、重厚な建物には、これに相応するカーポートやテラスに適用する簡易建物が求められることもある。
【０００９】
そこで本発明は、上記の問題点に鑑み、従来とは異なる構造で、重厚で骨太な印象を与えることができる構造を備える簡易建物を提供することを課題とする。
【課題を解決するための手段】
【００１０】
以下、本発明について説明する。なお、本発明の理解を容易にするために添付図面の参照符号を括弧書きにて付記するが、それにより本発明が図示の形態に限定されるものではない。
【００１１】
請求項１に記載の発明は、立設された複数の支柱（２、２、…）と、支柱を渡して設けられる梁（１０、１０）と、外枠（３１）、及び該外枠で区画される内側に配置される屋根パネル（５９、５９、…）を有する屋根部材（３０）と、梁と屋根部材とを連結して該屋根部材を梁に保持する連結部材（６０、６０、…）と、を備え、連結部材は、その一端側が梁に固定され、他端側は屋根部材の枠体のうち、梁に対向して設けられる枠材（３４、３４）に固定されており、梁と屋根部材との間には間隙（Ａ、Ａ、…）が形成される、簡易建物（１）を提供することにより前記課題を解決する。
【００１２】
ここで「対向して」とは、水平方向真横のみでなく斜め方向上下の位置も含む概念である。
【００１３】
請求項２に記載の発明は、請求項１に記載の簡易建物（１）の梁（１０、１０）、及び／又は連結部材（６０、６０、…）には、該連結部材に負荷される回転力のうち、支柱（２、２、…）の長手方向を含む回転力を受ける回転力受け手段（１３ｂ、１４ｂ）が設けられていることを特徴とする。
【００１４】
請求項３に記載の発明は、請求項２に記載の簡易建物（１）において、連結部材（６０、６０、…）は梁側端部に取付板（６５）を有し、回転力受け部材は梁に設けられ、取付板の屋根部材側に対向する面に接触可能に具備される片（１３ｂ、１４ｂ）であることを特徴とする。
【００１５】
請求項４に記載の発明は、請求項１〜３のいずれか一項に記載の簡易建物（１）の梁（１０、１０）はカバー部材を具備し、連結部材（６０、６０、…）と梁との固定部がカバー部材により外観視から隠蔽されていることを特徴とする。
【００１６】
請求項５に記載の発明は、請求項１〜４のいずれか一項に記載の簡易建物（１）の梁（１０、１０）に対向して設けられる枠材（３４、３４）には、連結部材（６０、６０、…）を引っ掛けて保持可能とする係合片（３６ａ）が設けられており、枠材を連結部材に仮保持できることを特徴とする。
【発明の効果】
【００１７】
本発明によれば、複数の柱とこれを渡された梁を有しており、さらに屋根部材を梁と水平方向に配置することができる。これにより、屋根部材に対して梁及び柱を印象付ける構造を形成することができる。また、屋根部材と梁との間に間隙を形成して、さらにこれを強調することが可能となる。
【図面の簡単な説明】
【００１８】
【図１】第一実施形態に係る簡易建物の外観斜視図である。
【図２】図１にIIで示した部位に注目した斜視図である。
【図３】図１に示した簡易建物の平面図、正面図、側面図である。
【図４】図３にIVで示した部位に注目した図である。
【図５】図４にV-Vで示した線に沿った断面図である。
【図６】図５の分解図である。
【図７】第二梁及び連結部材の斜視図である。
【図８】図３（ａ）にVIII-VIIIで示した断面図である。
【図９】図３（ａ）にIX-IXで示した断面図である。
【図１０】連結部材の斜視図である。
【図１１】排水手段に注目した斜視図で、図１１（ａ）は図１にIIで示した部位を見上げた方向からの斜視図、図１１（ｂ）は図１にXbで示した部位をXで示した方向から見た斜視図である。
【図１２】図１１（ｂ）のXIの方向からみた説明図である。
【図１３】連結部材により第二梁にかかる回転力を説明し、回転力受け手段について説明するための図である。
【図１４】第三実施形態に係る簡易建物の斜視図である。
【図１５】第四実施形態に係る簡易建物の斜視図で、テラスに適用した場面を表す図である。
【発明を実施するための形態】
【００１９】
本発明の上記した作用及び利得は、次に説明する発明を実施するための形態から明らかにされる。以下本発明を図面に示す実施形態に基づき説明する。
【００２０】
図１は第一実施形態にかかる簡易建物１の外観斜視図である。
図２は、図１にIIで示した部位を上方から見た図であり、図２（ａ）と図２（ｂ）とは異なる角度から見た図である。
図３は、簡易建物１の平面図（図３（ａ））、正面図（図３（ｂ））、及び側面図（図３（ｃ））である。
図４は、図３（ａ）にIVで示した部位を拡大して示した図である。
以下、図１〜図４及び適宜示す図を参照しつつ簡易建物１について説明する。
【００２１】
簡易建物１は、支柱２、２、…、第一梁５、５、第二梁１０、１０、屋根部材３０、連結部材６０、６０、…、及び排水手段８０を備えている。
【００２２】
支柱２、２、…は、地面から立設される４本の柱であり、矩形の頂点に相当する位置にそれぞれ立設されている。本実施形態では、支柱２、２、…はアルミニウムで形成された矩形断面を有する中空部材であり、後述するように該中空を縦樋として機能させている。
【００２３】
第一梁５、５は、２本の支柱２、２間を渡すように、対向して設けられる２本の梁部材である。本実施形態では第一梁５、５はアルミニウムで形成された矩形断面を有する中空部材である。
【００２４】
第二梁１０、１０は、上記第一梁５、５と直交する方向で、２本の支柱２、２間を渡すように、対向して設けられる２本の梁部材である。従って、第一梁５、５、及び第二梁１０、１０により矩形枠状が形成されている。図５には図４にV-Vで示した矢視断面図を表した。図６には図５の分解図を示した。これらの図に第二梁１０の断面形状が表れる。また図７には、後述する連結部材６０と組み合わされた第二梁１０の斜視図を示したが、ここにも第二梁１０の断面が表れている。図５〜図７を参照しつつ第二梁１０、１０について説明する。図５〜７では紙面下が地面側となる。
【００２５】
第二梁１０は、上記したように矩形状の中空断面を有しているが、その一辺に、溝部１１が設けられている。当該溝部１１は、第二梁１０のうち屋根部材３０に対向する片に形成され、当該第二梁１０の長手方向に沿って延在する。溝部１１は、底片１２、側片１３、１４を具備し、開口部Ｂを有している（図６）。また、底片１２にはさらにその上下方向（図５、図６の紙面上下方向）略中央に、さらなる凹部を形成する溝１５が形成されている。当該溝１５は該溝１５の開口部が若干狭くなるように対向して片１５ａ、１５ａが突設されている（図６）。溝１５は、後述する連結部材６０を固定するための固定部材７５の一部がここに内包される大きさで形成されている。また突設された片１５ａ、１５ａにより、当該内包された部材が溝１５から離脱するのを防止することができる。
【００２６】
また、側片１３、１４には、側片１３、１４間を狭くする方向に対向する２対の突設片１３ａ、１４ａ、及び突設片１３ｂ、１４ｂが設けられている。突設片１３ａ、１４ａは、溝部１１の開口部Ｂに設けられ、該開口部の幅を狭めるように形成されている。一方、突設片１３ｂ、１４ｂは底片１２と突設片１３ａ、１４ａとの間に設けられている。側片１３と側片１４との間隔は連結部材６０の梁側取付板６５の上下方向大きさ（図５、図６の紙面上下方向）と概ね同じに形成される。また、底片１２と突設片１３ｂ、１４ｂとの間隔は梁側取付板６５の厚さ（図５、図６の紙面左右方向）と概ね同じとされている。連結部材６０及びその第二梁１０への取り付け構造については後で詳しく説明する。
【００２７】
連結部材６０のアーム６１が配置される部分以外の部分の開口部Ｂには、溝１１を外観視から隠蔽するようにカバー部材１６が設けられてもよい。これにより連結部材６０と第二梁１０とが固定される部分を室外視から隠蔽することができ、外観にすぐれたものとなる。
【００２８】
図１〜図６に戻り、引き続き簡易建物１を構成する部材について説明する。屋根部材３０は、枠体３１、垂木４５、４５、…、棟木５２、５２、…、及び屋根パネル５９、５９、…を備えている。
【００２９】
枠体３１は、枠材３２、３２、３４、３４を方形に組み合わせて枠状とされた部材である。枠材のうち第一梁５、５と長手方向を同じくして配置される枠材３２、３２は、所定の断面を有しつつ、特に図３（ｃ）からわかるように長手方向に湾曲している。
【００３０】
一方、枠材のうち第二梁１０、１０と長手方向を同じくして配置される枠材３４、３４は、上記枠材３２、３２の端部をかけ渡すように取り付けられ、図５、図６に表れるような断面を備えている。ここでは枠材３４を例に説明する。
枠材３４は、断面において、片３６、３７、３８、３９により囲まれる中空部３５と、パネル押さえ４０とを有している。
【００３１】
中空部３５の片のうち、簡易建物１として構成されたときに第二梁１０に対向する側の片３６には、係合片３６ａ、及び溝３６ｂ（図６）が設けられている。係合片３６ａは、後述する連結部材６０の屋根側取付板７０がここに挟まれて係合できるように形成された片である。このように、係合片３６ａに屋根側取付板７０を引っ掛ける構造により、施工時において、枠材３４を仮に保持することができ、施工性を向上させることができる。
溝３６ｂは、連結部材６０を固定するための固定部材７６の一部がここに内包される大きさで形成されている。また、溝３６ｂにはその開口部に、該開口部を狭めるように突設された片３６ｃ、３６ｃが具備されている（図６）。片３６ｃ、３６ｃにより、溝３６ｂに内包された部材が該溝３６ｂから離脱することが防止される。
【００３２】
一方、中空部３５の片のうち、屋根パネル５９側の片３８にはパネル押さえ４０が設けられている。パネル押さえ４０は片３８に取り付けられパネル５９側に延在する上片４１と、片４１の下方に片４１と概ね同じようにパネル側に延在し、屋根パネル５９側端部が上方に折り曲げられている下片４２とを備えている。上片４１と下片４２とは片４３により連結されている。また、片３８の下部には被係合片３８ａ、及びこれに係合される取付金具３８ｂが設けられている。被係合片３８ａ、及び取付金具３８ｂにより、枠材３４の上部に設けられた上部取付部材３５ａとボルト３５ｂを介して垂木４５と枠材３４とを固定している、また、取付金具３８ｂの先端が後述する横樋８１に係合する。
【００３３】
また、枠材３４及び／又は屋根パネル５９には、その長手方向に所定の間隔で、屋根パネル５９上面、又はパネル押さえ４０の上面から横樋８１に通じる図５に矢印Ｊで示したように排水可能な排水経路が形成されている。具体的には、枠材３４の長手方向（図５の紙面奥／手前方向）における屋根パネル５９と、パネル押さえ４０と寸法差を設ける（パネル押さえ４０を短く形成する。）ことにより排水経路を形成する。
【００３４】
垂木４５、４５、…は、図１及び図３（ａ）から特にわかるように、対向する枠材３４、３４間を渡すように所定の間隔を有して並列された長尺部材である。従って、垂木４５、４５、…は枠材３２、３２と略平行であり、枠材３２、３２と同様に長手方向に湾曲している。図８には図３（ａ）にVIII-VIIIで示した断面図を表した。これにより垂木４５、４５、…の断面形状を説明する。図８では紙面下が地面側である。
【００３５】
垂木４５は、その断面において矩形中空に形成された中空部４６を有し、該中空部４６の下面の幅方向（図８の紙面左右方向）略中央からは下方に延在する片４７が設けられている。さらに片４７の下端には幅方向両方に延びるように片４８が設けられている。従って、垂木４５には、中空部４６の下面を形成する片、片４７、及び片４８により両側方に開口した２つの溝Ｓ、Ｓが形成される。また、本実施形態では垂木４５、４５の中空部４６が溝Ｓ、Ｓより上方に配置される。
【００３６】
棟木５２、５２、…は、図１及び図３（ａ）から特にわかるように、枠材３４、３４に略平行に設けられ、枠材３２、３２、垂木４５、４５、…の長手方向中央間を渡すように設けられた棒状部材である。図９には図３（ａ）にIX-IXで示した断面図を表した。これにより棟木５２、５２、…の断面形状を説明する。図９では紙面下が地面側である。
【００３７】
棟木５２は、その断面において矩形中空に形成された中空部５３を有し、該中空部５３の下面の幅方向（図９の紙面左右方向）略中央からは下方に延在する片５４が設けられている。さらに片５４の下端には幅方向両方に延びるように片５５が設けられている。さらに片５５を幅方向に延長するように、板状の部材である挟持板５６が片５５に係合されている。従って、棟木５２には、中空部５３の下面を形成する片、片５４、及び挟持板５６により両側方に開口した２つの溝Ｔ、Ｔが形成される。また、本実施形態では棟木５２の中空部５３が溝Ｔ、Ｔより上方に配置される。
【００３８】
屋根パネル５９、５９、…は、枠体３１、垂木４５、４５、…、及び棟木５２、５２、…により形成される各区画内に配置される面状の部材で、樹脂により形成されている。屋根パネルとしては、通常の簡易建物に用いられものを適用することができる。
【００３９】
屋根パネル５９、５９、…は、その四周端部を、区画を形成する枠体３１、垂木４５、４５、…、棟木５２、５２、…に差し込むようにして固定される。具体的には、枠材３４への屋根パネル５９の端部の取り付けは図５に表れている。すなわち、枠材３４に具備されるパネル押さえ４０の上片４１と下片４２とに屋根パネル５９の端部が挟まれるように固定される。ここで上記したように、枠材３４には排水経路が形成されているので、屋根パネル５９の上面の雨水等が適切に横樋８１に流れる。排水については後で詳しく説明する。
【００４０】
また、垂木４５、４５、…への屋根パネル５９の端部の取り付けは図８に表れている。すなわち、垂木４５に形成される溝Ｓ、Ｓに屋根パネル５９の端部を挿入するように固定する。このときパッキン５０、５１も溝Ｓ、Ｓに挿入することで（ただし、同時に挿入する必要はなく、予め溝Ｓ、Ｓに設置、一部を後から挿入する等してもよい。）防水性や安定した取り付け性を確保することができる。ここで上記したように、本実施形態の垂木４５、４５、…は、上方に中空部４６、４６、…を配置する向きとしているので、屋根パネル５９、５９、…の下面側には薄い片４８、４８、…のみが表れる。従って使用者は、天井部（屋根部材の下面）にシンプルですっきりとした印象を得ることができる。後述するように、簡易屋根１では支柱２、２、…、及び梁１０、１０を強調し、重厚な印象を与えることができるが、一方で、このように他の細部においてシンプルな印象を与えることで、さらに支柱及び柱を強調させることが可能となる。
従来はこのような中空部が天井部側に突出して表れていたので、垂木が目立つ構成となり、屋根部への印象が大きくなることがあった。
【００４１】
同様に、棟木５２、５２、…への屋根パネル５９の端部の取り付けは図９に表れている。すなわち、棟木５２に形成される溝Ｔ、Ｔに屋根パネル５９の端部を挿入するように固定する。このときパッキン５７、５７も溝Ｔ、Ｔに挿入することで防水性や安定した取り付け性を確保することができる。ここで上記したように、本実施形態の棟木５２、５２、…は、上方に中空部５３、５３、…を配置する向きとしているので、屋根パネル５９、５９、…の下面側には薄い挟持板５６のみが表れる。従って使用者は、天井部（屋根部材の下面）にシンプルですっきりとした印象を得ることができる。後述するように、簡易屋根１では支柱２、２、…、及び梁１０、１０を強調し、重厚な印象を与えることができるが、一方で、このように他の細部においてシンプルな印象を与えることで、さらに支柱及び柱を強調させることが可能となる。
従来はこのような中空部が天井部側に突出して表れていたので、棟木が目立つ構成となり、屋根部への印象が大きくなることがあった。
【００４２】
図１〜図６に戻り、引き続き簡易建物１を構成する要素について説明する。連結部材６０、６０、…は、後述するように第二梁１０、１０と屋根部材３０とを連結するための部材である。図１０に連結部材６０の外観斜視図を示した。また、図５、図６にもその形状が表れている。これら図からわかるように、連結部材６０は、アーム６１、梁側取付板６５、及び屋根側取付板７０を備えている。
【００４３】
アーム６１は、所定の長さを有する部材である。また、アーム６１には梁側取付板６５側端部の上下面に凹部６１ａ、６１ｂが設けられている。また、当該凹部６１ａ、６１ｂが備えられる端部とは反対側である端部の下面には、Ｌ字状の横樋被係合片６２が配置されている。横樋被係合片６２は、Ｌ字状である一方の片が下方に延び、他方の片が梁側取付板７０の方向に延在している。
【００４４】
梁側取付板６５は、アーム６１の上記凹部６１ａ、６１ｂが設けられた側の端部に具備された板状の部材で、板状の一面側略中央にアーム６１の端面が接合されている。また、梁側取付板６５の両端部にはスリット６５ａ、６５ａが形成されている。スリット６５ａ、６５ａは、梁側取付板６５の対向する左右（図１０の紙面左下−右上方向）両端から互いに近づく方向に延び、これを長手方向としている。
屋根側取付板７０は、アーム６１の他端側に設けられた板状の部材で、板状の一面側略中央にアーム６１の当該他端側の端面が接合されている。また、屋根側取付板７０の両端部にはスリット７０ａ、７０ａが形成されている。スリット７０ａ、７０ａは、屋根側取付板７０の対向する左右（図１０の紙面左下−右上方向）両端から互いに近づく方向に延び、これを長手方向としている。
【００４５】
次に排水手段８０について説明する。
図１１には排水手段８０に注目した図を示した。ここでは排水手段８０のみを実線で示し、他の部分は破線で表している。図１１（ａ）は図１にIIで示した部位を下方から見上げた図、図１１（ｂ）は図１にXbで示した部位を矢印Ｘで示した方向から見下ろした図で一部透視して示している。
図１２は図１１（ｂ）を矢印XIの方から見た図で、一部は断面を示している。
また、排水手段８０のうち横樋８１の断面形状が図５、図６に表れている。以下図５、図６、図１１、図１２を参照しつつ排水手段８０について説明する。なおここでは屋根部材３０の一方側の枠材３４側に設けられた排水手段８０を例に説明するが、他方側の枠材３４側にも同様の排水部材８０が配置されている。
【００４６】
排水手段８０は、横樋８１と、排水受け９０と、を有している。
横樋８１は図１１（ａ）からよくわかるように枠材３４の長手方向に沿って延在する長尺の部材で、図５、図６に表れる断面を有している。横樋８１は、その断面形状において、下に凸である樋状の底片８２を備えている。また底片８２の一端には折り曲げられたように形成された係合片８３を有し、他端側にも枠材３４に係合するための係合片８４が具備されている。
横樋８１の端部には図１１（ａ）、及び図１２に表れているように排水孔８９が設けられている。ここで当該排水孔８９は横樋８１の端部を閉鎖する端部キャップに設けられても良い。
【００４７】
排水受け９０は、図１１（ｂ）に表れているように、上面が開放された容器状の部材で、排水孔８９の真下から支柱２の内側に挿入されて配置される。
【００４８】
以上説明した各構成部材は、次のように組み合わせられて簡易建物１とされている。すなわち、立設された柱２、２、…の上端を渡すように第一梁５、５及び第二梁１０、１０が配置される。第二梁１０、１０には、所定の間隔で連結部材６０、６０、…が取り付けられる。詳しくは、図５、図７からわかるように、連結部材６０の梁側取付板６５が、第二梁１０の溝部１１内のうち、底片１２と、突設片１３ｂ、１４ｂとの間に配置される。また連結部材６０のアーム６１に設けられた凹部６１ａ、６１ｂの側面が第二梁１０の溝部１１の突設片１３ａ、１４ａに当てられるように配置される。そして第二梁１０の溝部１１内に設けられた溝１５内から連結部材６０の梁側取付板６５に設けられたスリット６５ａを貫通する固定部材７５、７５（図５では一方側のみ表れている。）により連結部材６０を第二梁１０に堅固に固定する。
【００４９】
さらに、屋根部材３０が、第一梁５、５及び第二梁１０、１０により区画された枠に配置されて、第二梁１０、１０と屋根部材３０の枠材３４、３４とが連結部材６０、６０、…を介して固定される。詳しくは、図５、図７からわかるように、連結部材６０の屋根側取付板７０の上端が、枠材３４の係合片３６ａに挟まれるように固定される。そして枠材３４の片３６に設けられた溝３６ｂ内から連結部材６０の屋根側取付板７０に設けられたスリット７０ａを貫通する固定部材７６、７６（図５では一方側のみ表れている。）により連結部材６０を枠材３４に堅固に固定する。図５では一方側の枠材３４側のみを示したが、他方側の枠材３４と第二梁１０との連結も同様である。
【００５０】
これにより、従来とは異なる梁と屋根との連結構造を具備する簡易建物を提供することができる。詳しくは、複数の支柱２、２、…とこれを渡して設けられる第一梁１０、１０を有するとともに、屋根部材３０と梁１０、１０とを略水平面内に配置させることが可能である。さらには、図２にＡ、Ａ、…で示したように梁１０、１０と屋根部材３０と一定の間隙を形成して連結させることができる。従って、屋根部材に対して梁及び柱を印象付ける構造となり、屋根部材と梁との間に間隙を形成して、さらに該柱及び梁を強調し、重厚感、骨太感を与えることが可能となる。また、このような構造は使用者に安心感を与えることもできる。このような安心感は建物としての重要な要素の１つである。
【００５１】
また、連結部材６０、６０、…を固定する溝部１１、溝３６ｂ、及び係合片３６ａは、第二梁１０、枠材３４ａの長手方向に連続しているので、固定部材７５、７６を緩める等してスライドさせることができ、新たな加工を施すことなく固定部材６０の位置を自由に設定することが可能である。また一度屋根部材３０を取り付けた後であっても、その位置を変更することもできる。
【００５２】
ここで、連結部材６０を介して屋根部材３０から第二梁１０にかかる力を考える。図１３に説明図を示した。
例えば屋根部材３０の自重、及び風の吹き下ろし等により図１３（ａ）に矢印Ｃで示した方向に屋根部材３０に力がかかると、連結部材６０には矢印Ｄで示したような回転力がかかる。これに対して本実施形態の第二梁１０には、図１３（ａ）で破線で囲んだように突設片１３ｂ、及び突設片１４ａが回転力受け手段として機能し、連結部材６０の回転に抗して適切に連結部材６０を保持することができる。
一方、屋根部材３０への風等の吹き上げがあったときには、図１３（ｂ）に矢印Ｅで示した方向に屋根部材３０に力がかかる。すると、連結部材６０には矢印Ｆで示したような回転力がかかる。これに対して本実施形態の第二梁１０には、図１３（ｂ）で破線で囲んだように突設片１３ａ、及び突設片１４ｂが回転力受け手段として機能し、連結部材６０の回転に抗して適切に連結部材６０を保持することができる。
【００５３】
本実施形態では、回転力受け手段を上記した突設片により形成したが、これに限定されるものではなく連結部材の上下部を保持固定することにより回転力を受ける他の手段であってもよい。これには例えば、連結部材を上下方向から固定すること、又は連結部材の梁側取付板を厚くし上下面を大きくすること、及び上下方向に延在する片を大きくして上下接触面を大きくすること等を挙げることができる。
【００５４】
引き続き、簡易建物１の各構成の組み合わせについて説明する。排水手段８０のうち、横樋８１は、図５からわかるように、その幅方向一端に具備された係合片８３が連結部材６０の被係合片６２に係合されるとともに、幅方向他端側に具備された係合片８４が枠材３４の取付金具３８ｂに係合される。これにより、横樋８１が枠材３４の下面側に固定される。他方側の枠材３４についても同様である。
【００５５】
このような横樋８１の構成により、屋根部材３０の下面に横樋８１が一体的となり、横樋として目立たなくなる。これにより、外観に優れた横樋とすることができる。また、図５に矢印Ｊで示したように、屋根パネル５９と枠材３４との間からの排水を受ける態様なので、枠材３４を屋根パネル５９の上面よりも高く突設させて形成しても雨水が溜まることがなく、適切に排水することができ、設計の自由度を向上させることが可能となる。
また、簡易建物内から容易に着脱することもできるので、清掃等のメンテナンスも簡単におこなうことが可能である。
さらには、屋根パネル５９とこれを保持する枠材３４との間から排水するので、本実施形態のように、従来とは異なった構造の簡易建物で横樋を設置し難い構造であっても適用することができ、かかる観点からも設計自由度を向上させることができる。
【００５６】
排水受け９０は、支柱２の内側から横樋８１の真下にまで延びるように配置される。これにより、図１２にＨに示したように横樋８１から落下した水を排水受け９０に受け止めることができ、縦樋を兼用する支柱２に流され、排水する。本実施形態の排水手段８０によれば、横樋８１と排水受け９０との間には縦樋等が存在しないので、例えば強風等による屋根部材のたわみが生じても、横樋と縦樋とを連通する樋が外れる等の不具合を生じない。
【００５７】
図１４は、第二実施形態にかかる簡易建物１０１の外観斜視図である。簡易建物１０１は、支柱１０２、１０２、…、第一梁１０５、１０５、第二梁１１０、１１０、及び屋根部材１３０を備えている。各部材の基本的な構成は上記した簡易建物１と共通なので説明は省略する。
【００５８】
簡易建物１０１では、屋根部材１３０の第二梁１１０、１１０方向長さが、該第二梁１１０、１１０の長さの概ね半分である点で簡易建物１の屋根部材３０と異なる。上記したように屋根部材１３０は連結部材を介して、図１４に矢印Ｇで示した方向である第二梁１１０、１１０の長手にスライドさせることが可能である。従って屋根部材１３０の位置を自由に設定することができる。
【００５９】
図１５は、第三実施形態にかかる簡易建物２０１が、建物のテラスに設けられた場面を示す斜視図である。簡易建物２０１は、支柱２０２、２０２、…、第一梁２０５、２０５、第二梁２１０、及び屋根部材２３０を備えている。各部材の基本的な構成は上記した簡易建物１と共通なので説明は省略する。
【００６０】
簡易建物２０１では、第二梁２１０が一本のみであり、屋根パネル２３０の他端は建物に直接固定されている点で簡易建物１とは異なる。このような形態は建物のテラスに用いるのに適しており、このような形態にも本発明の簡易建物とすることができる。
【００６１】
以上、現時点において、実践的でありかつ好ましいと思われる実施形態に関連して本発明を説明したが、本発明は、本願明細書中に開示された実施形態に限定されるものではなく、請求の範囲及び明細書全体から読み取れる発明の要旨あるいはは思想に反しない範囲で適宜変更可能であり、そのような変更を伴う簡易建物もまた本発明の技術的範囲に包含されるものとして理解されなければならない。
【符号の説明】
【００６２】
１  簡易建物
２  支柱
５  第一梁
１０  第二梁
３０  屋根部材
３１  枠体（外枠）
３２、３４  枠材
４５  垂木
５２  棟木
５９  屋根パネル
６０  連結部材
６５  梁側取付板
７０  屋根側取付板
８０  排水手段
８１  横樋
９０  排水受け
【図１】
2010281053.tif 000003
【図２】
2010281053.tif 000004
【図３】
2010281053.tif 000005
【図５】
2010281053.tif 000006
【図６】
2010281053.tif 000007
【図７】
2010281053.tif 000008
【図８】
2010281053.tif 000009
【図９】
2010281053.tif 000010
【図１０】
2010281053.tif 000011
【図１１】
2010281053.tif 000012
【図１２】
2010281053.tif 000013
【図１３】
2010281053.tif 000014
【図１５】
2010281053.tif 000015
【図４】
2010281053.tif 000016
【図１４】
2010281053.tif 000017